(57)【要約】【課題】記録メディアとプリントとが合っているかどうかを照合する作業が不要なプリント作成袋詰装置の提供。【解決手段】前記プリントを注文１件毎に集積するプリント集積手段と、前記プリント集積手段で集積されたプリントを袋詰するプリント袋詰手段と、プリント注文順序、および１件の注文内のプリント順序である注文内プリント順序を包含する注文１件毎のプリント注文情報を記録する記憶手段と、前記記憶手段に記憶された前記プリントの注文順序および前記注文１件毎のプリント注文情報に基いて前記プリント袋詰手段を制御する制御手段とを備えてなることを特徴とするプリント袋詰装置、前記プリント袋詰装置を有するプリント作成袋詰システム。【選択図】        図１
2004347868.tif 000002
【特許請求の範囲】
【請求項１】
メディアに記録され、または外部結合された端末から取得したデジタル画像データに基づいて作成されたプリントを袋詰するプリント袋詰装置であって、
前記プリントを注文１件毎に集積するプリント集積手段と、
前記プリント集積手段で集積されたプリントを袋詰するプリント袋詰手段と、プリント注文順序、および１件の注文内のプリント順序である注文内プリント順序を包含する注文１件毎のプリント注文情報を記憶する記憶手段と、
前記記憶手段に記憶された前記プリントの注文順序および前記注文１件毎のプリント注文情報に基いて前記プリント袋詰手段を制御する制御手段とを備えてなることを特徴とするプリント袋詰装置。
【請求項２】
前記プリント袋詰手段は、
プリント袋が集積されているプリント袋集積部と、
プリント袋を固定して開口するプリント袋開口部と、
前記プリント袋集積部から前記プリント袋開口部にプリント袋を移送するプリント袋移送部と、
前記プリント集積手段で集積されたプリントを、前記プリント袋開口部で開口されたプリント袋に投入するプリント投入手段と、
前記メディアを受け入れるメディア受入手段と、
前記メディア受入手段によって受け入れられたメディアを前記プリント袋開口部で開口されたプリント袋に投入するメディア投入手段と、
前記プリント投入手段および前記メディア投入手段によってプリントとメディアとが投入されたプリント袋を集積する投入済みプリント袋集積部とを備えてなる請求項１に記載のプリント袋詰装置。
【請求項３】
前記制御手段は、前記記憶手段から読み出した前記プリントの注文順序および前記注文１件毎のプリント注文情報に基き、前記プリントおよび前記メディアが投入されたプリント袋内における前記メディアと前記プリントとが同一注文のものとなるように前記プリント袋詰手段を制御することを特徴とする請求項２に記載のプリント袋詰装置。
【請求項４】
前記プリント袋詰手段は、
プリント袋が集積されているプリント袋集積部と、
プリント袋を固定して開口するプリント袋開口部と、
前記プリント袋集積部から前記プリント袋開口部にプリント袋を移送するプリント袋移送部と、
前記プリント集積手段で集積されたプリントを、前記プリント袋開口部で開口されたプリント袋に投入するプリント投入手段と、
前記プリント投入手段によってプリントが投入されたプリント袋を集積する投入済みプリント袋集積部とを備えてなる請求項１に記載のプリント袋詰装置。
【請求項５】
前記プリント袋移送部は、前記プリント袋に、前記１件毎のプリント注文情報の少なくとも一部を印字する印字部を備えてなる請求項２〜４の何れか１項に記載のプリント袋詰装置。
【請求項６】
メディアに記録され、または外部結合された端末から取得したデジタル画像データに基づいてプリントを作成するプリント作成装置と、
前記プリント作成装置で作成したプリントを袋詰する請求項１〜５の何れか１項に記載のプリント袋詰装置とを備えてなることを特徴とするプリント作成袋詰システム。
【請求項７】
前記プリント作成装置は、
注文順序、および前記注文内プリント順序を含む注文１件毎のプリント注文情報を注文受付順に記憶するプリント注文情報記憶手段と、
前記プリント注文情報記憶手段から読み出した注文順序と注文内プリント順序とを必要に応じて再配列し、プリント注文情報および注文内プリント順序を設定するプリント順序決定手段と、
前記プリント順序決定手段によって設定されたプリント注文順序と注文内プリント順序とを前記プリント袋詰装置の備える記憶手段に書き込む書込手段とを備えるとともに、
前記プリント順序決定手段によって設定された注文順序と注文内プリント順序とに従ってプリントを作成する請求項６に記載のプリント作成袋詰システム。
【請求項８】
前記プリント作成装置は、画像記録材料を一定方向に搬送しつつ、メディアに記録され、または外部結合された端末から取得したデジタル画像データに基づいて前記画像記録材料に画像を形成してプリントを作成する画像形成手段を備えてなる請求項６または７に記載のプリント作成袋詰システム。
【請求項９】
前記画像記録材料は印画紙である請求項８に記載のプリント作成袋詰システム。
【発明の詳細な説明】
【０００１】
【発明の属する技術分野】
本発明は、プリント袋詰装置およびプリント作成袋詰システムに関し、特に、各種メディアに記録されたデジタル画像データに基づいて画像を記録したときに、作成されたプリントと前記メディアとの照合の手間が不要なプリント袋詰装置、および前記プリント袋詰装置を備えるプリント作成袋詰システムに関する。
【０００２】
【従来の技術】
撮影済みのネガフィルムを現像し、現像されたネガフィルムの画像を印画紙に連続して焼き付けて一連のプリントを作成する自動プリンタープロセッサは、現在写真現像所などで広く使用されている。
【０００３】
このような自動プリンタープロセッサとしては、たとえば、作成されたプリントを整頓して、現像済みのネガフィルム、伝票、および宣伝用チラシとともに単一のＤＰ袋に袋詰するものがある（特許文献１、特許文献２）。
【０００４】
近年は、写真現像所においては、前述の自動プリンタープロセッサのほかに、ネガフィルム、リバーサルフィルム等の写真フィルムや印刷物等に記録された画像情報を光電的に読み取って、読み取った画像をデジタル信号に変換した後、種々の画像処理を施して記録用のデジタル画像データとし、このデジタル画像データに応じて変調した記録光によって印画紙等の感光材料を走査露光してプリントを作成するデジタルフォトプリンタシステムが広く使用されるようになってきている。
【０００５】
前記デジタルフォトプリンタシステムは、前述のようにデジタル画像データからプリントを作成するから、従来の写真フィルムだけではなく、デジタルカメラによる撮影で得られたデジタル画像データなどにも容易に対応できる。
【０００６】
ここで、デジタルカメラで撮影されたデジタル画像データは、通常、スマートメディア（Ｒ）やＣＤ−Ｒなどの種々のメディアに記録された状態で写真現像所に持ち込まれる。そして、写真現像所では、前記デジタルフォトプリンタシステムにおいて、持ち込まれたメディアからデジタル画像データを読み出して前記デジタル画像データに基づいてプリントを作成する。
【０００７】
【特許文献１】
特開平５−２７４０５号公報
【特許文献２】
特開平６−４３６２２号公報
【０００８】
【発明が解決しようとする課題】
近年におけるデジタルカメラの爆発的な普及に伴い、メディアの形で持ち込まれる注文が年々増加している。
【０００９】
持ち込まれたメディアは、通常、前記デジタルフォトプリンタシステムで作成されたプリントとともにＤＰ袋に袋詰されるが、前記メディアとプリントとが合っているかどうかを照合する作業は、煩わしいものがあった。
【００１０】
本発明は、上記問題を解決すべく成されたものであり、前記照合作業が不要なプリント袋詰装置およびプリント作成袋詰システムを提供することを目的とする。
【００１１】
【課題を解決するための手段】
請求項１に記載の発明は、メディアに記録され、または外部結合された端末から取得したデジタル画像データに基づいて作成されたプリントを袋詰するプリント袋詰装置であって、前記プリントを注文１件毎に集積するプリント集積手段と、前記プリント集積手段で集積されたプリントを袋詰するプリント袋詰手段と、プリント注文順序、および１件の注文内のプリント順序である注文内プリント順序を包含する注文１件毎のプリント注文情報を記憶する記憶手段と、前記記憶手段に記憶された前記プリントの注文順序および前記注文１件毎のプリント注文情報に基いて前記プリント袋詰手段を制御する制御手段とを備えてなることを特徴とするプリント袋詰装置に関する。
【００１２】
前記プリント袋詰装置においては、注文１件分のプリントが自動的に袋詰される。また、前記袋詰は、プリントの注文順序であるプリント注文順序に従って行われる。したがって、注文１件毎に人手でプリントを分別して袋詰する手間が省ける。
【００１３】
ここで、「メディアに記録され、または外部結合された端末から取得したデジタル画像データ」とは、メディアに記録されたデジタル画像データやネットワーク配信されたデジタル画像データの他、たとえば店頭に設置された店頭受付機においてメディアを読み取って得られ、換言すれば前記店頭受付機で前記メディアから吸い上げたデジタル画像データを包含する意である。
【００１４】
また、前記「プリント注文順序」は、前記メディア、ネットワーク、および店頭受付機を介して依頼された注文であるが、請求項７のところで後述するように、前記メディア、ネットワーク、および店頭受付機において実際に受け付けた注文の順序とは必ずしも同一ではない。
【００１５】
「注文１件毎のプリント注文情報」は、前記注文内プリント順序のほか、受付番号、１件の注文内における各画像毎のプリント枚数、プリントサイズ、前記プリント枚数と前記プリントサイズから算定した金額などを包含する。また、前記注文内プリント順序もまた、実際に受け付けた注文内プリント順序とは必ずしも同一ではない。
【００１６】
前記メディアとしては、スマートメディアやＣＤ−Ｒなどのように、デジタルカメラでの撮影で得られたデジタル画像データなどを記録するのに一般的に使用されるメディアが挙げられる。
【００１７】
請求項２に記載の発明は、前記プリント袋詰手段が、プリント袋が集積されているプリント袋集積部と、プリント袋を固定して開口するプリント袋開口部と、前記プリント袋集積部から前記プリント袋開口部にプリント袋を移送するプリント袋移送部と、前記プリント集積手段で集積されたプリントを、前記プリント袋開口部で開口されたプリント袋に投入するプリント投入手段と、前記メディアを受け入れるメディア受入手段と、前記メディア受入手段によって受け入れられたメディアを前記プリント袋開口部で開口されたプリント袋に投入するメディア投入手段と、前記プリント投入手段および前記メディア投入手段によってプリントとメディアとが投入されたプリント袋を集積する投入済みプリント袋集積部とを備えてなるプリント袋詰装置に関する。
【００１８】
前記プリント袋詰装置においては、メディアで注文を受け付けた場合には、前記メディア受入手段においてメディアを受け入れる。
【００１９】
一方、前記注文に係るプリントは、前記プリント集積手段で集積され、前記プリント投入手段によってプリント袋に投入される。そして、前記メディア受入手段において受け入れられたメディアは、メディア投入手段によって、前記プリントが投入されたプリント袋に投入される。
【００２０】
したがって、前記プリント袋詰装置においては、メディアで注文を受け付けた場合には、前記メディアと前記メディア中のデジタル画像データに基いて作成されたプリントとが同一のプリント袋に投入される。
【００２１】
請求項３に記載の発明は、前記制御手段は、前記記憶手段から読み出した前記プリントの注文順序および前記注文１件毎のプリント注文情報に基き、前記プリントおよび前記メディアが投入されたプリント袋内における前記メディアと前記プリントとが同一注文のものとなるように前記プリント袋詰手段を制御することを特徴とするプリント袋詰装置に関する。
【００２２】
前記プリント袋詰装置においては、たとえば、前記メディア受入手段にｎ番目のメディアＮが受け入れられたとき、前記制御手段は、前記記憶手段から注文順序と画像データとの関係、および前記注文におけるメディアの有無などのプリント情報を呼び出し、前記メディアＮが何番目の注文に対応するかを判断する。そして、前記メディアＮが、たとえばｍ番目の注文に対応するメディアであると判断したら、ｍ番目の注文に対応するプリントが投入されたプリント袋に前記メディアＮが投入されるように前記メディア投入手段を制御する。
【００２３】
したがって、メディアＮは、前記メディア投入手段によって、ｍ番目の注文に対応するプリントが投入されたプリント袋に投入される。
【００２４】
一方、前記メディア受入手段にメディアの受け入れがないときは、前記メディア投入手段は停止したままであるから、プリント袋にはプリントのみが投入された状態で投入済みプリント袋集積部に送られる。
【００２５】
したがって、この場合には、プリント集積手段で集積されたプリントのみが袋詰される。
【００２６】
このように、前記プリント袋詰装置においては、前記メディア受入手段にメディアを投入するだけで、前記メディアは、常に対応するプリントと一緒に袋詰されるから、前記プリントとメディアとが合っているかどうかを照合する照合作業が不要になる。また、メディアで受け付けた注文とネットワーク配信で受け付けた注文とが混在する場合、およびネットワーク配信のみによって注文を受け付けた場合において、出来上がったプリントと、前記プリントとは関係の無いメディアとが誤って一緒に袋詰される事故も防止される。
【００２７】
請求項４に記載の発明は、前記プリント袋詰手段が、プリント袋が集積されているプリント袋集積部と、プリント袋を固定して開口するプリント袋開口部と、前記プリント袋集積部から前記プリント袋開口部にプリント袋を移送するプリント袋移送部と、前記プリント集積手段で集積されたプリントを、前記プリント袋開口部で開口されたプリント袋に投入するプリント投入手段と、前記プリント投入手段によってプリントが投入されたプリント袋を集積する投入済みプリント袋集積部とを備えてなるプリント袋詰装置に関する。
【００２８】
注文受付機のような外部接続された端末には、通常、一連の画像に対応する画像データが記録されている。したがって、本発明のプリント作成袋詰システムが備えるプリント作成装置においては、前記画像データに対応する一群のプリントが作成される。
【００２９】
前記プリント作成装置で形成された一群のプリントは、前記プリント作成袋詰システムの備えるプリント集積部において一纏りのプリントとして集積される。
【００３０】
一方、プリント袋集積部から１枚のプリント袋がプリント袋移送部によって移送されてプリント袋開口部において固定される。
【００３１】
前記プリント袋移送部によって前記プリント袋開口部に移送されたプリント袋は、プリント袋開口部に固定されるとともに開口される。前記プリント袋開口部においてプリント袋が固定され、開口されたら、前記一纏りのプリントは前記プリント投入手段によって前記プリント袋に投入される。
【００３２】
前記プリントが投入されたプリント袋は、投入済みプリント袋集積部に集積される。
【００３３】
前記プリント作成袋詰システムにおいては、注文受付機、またはネット配信を介して注文を受け付けて作成されたプリントがプリント袋に袋詰されて集積されるまでの操作が自動的に行われるから、メディアから直接画像データを取得しなくてもプリントを袋詰できる装置が提供される。
【００３４】
請求項５に記載の発明は、前記プリント袋移送部が、前記プリント袋に、前記１件毎のプリント注文情報の少なくとも一部を印字する印字部を備えてなることを特徴とするプリント袋詰装置に関する。
【００３５】
前記プリント袋詰装置は、請求項４に記載のプリント袋詰装置において、プリント袋移送部に印字部を設けた例であり、前記印字部において、プリント袋にプリント注文情報を予め印字しておくことができる。このようなプリント注文情報としては、たとえば、受付番号や金額などがある。
【００３６】
請求項６に記載の発明は、メディアに記録され、または外部結合された端末から取得したデジタル画像データに基づいてプリントを作成するプリント作成装置と、前記プリント作成装置で作成したプリントを袋詰する請求項１〜５の何れか１項に記載のプリント袋詰装置とを備えてなることを特徴とするプリント作成袋詰システムに関する。
【００３７】
前記プリント作成袋詰システムにおいては、メディアや店頭受付機、ネット配信で注文を受けたプリントが前記プリント作成手段で作成される。
【００３８】
前記プリント作成手段で作成されたプリントは、１件の注文毎に纏められ、前記プリントに対応するメディアとともに前記プリント袋詰装置において袋詰される。
【００３９】
前記プリント作成袋詰システムにおいては、メディアで注文を受け付けたときは、前記プリント袋詰装置において、前記プリントと対応するメディアとが一緒に袋詰される。一方、ネットワーク配信および店頭受付機でメディア中のデジタル画像情報を吸い上げることによって注文を受けたときで注文を受け付けたときは、前記ネットワーク配信された画像データまたは前記デジタル画像情報に対応するプリントだけが袋詰される。
【００４０】
したがって、メディアで注文を受け付けたプリントとネットワーク配信や店頭受付機で注文を受け付けたプリントとが混在する場合においても、袋詰されたプリントとメディアとを照合する手間が省略できる。
【００４１】
請求項７に記載の発明は、前記プリント作成装置が、注文順序、および前記注文内プリント順序を含む注文１件毎のプリント注文情報を注文受付順に記憶するプリント注文情報記憶手段と、前記プリント注文情報記憶手段から読み出した注文順序と注文内プリント順序とを必要に応じて再配列し、プリント注文情報および注文内プリント順序を設定するプリント順序決定手段と、前記プリント順序決定手段によって設定されたプリント注文順序と注文内プリント順序とを前記プリント袋詰装置の備える記憶手段に書き込む書込手段とを備えるとともに、前記プリント順序決定手段によって設定された注文順序と注文内プリント順序とに従ってプリントを作成するプリント作成袋詰システムに関する。
【００４２】
前記プリント作成袋詰システムでは、メディア、店頭受付機、またはネット配信によって注文を受けると、プリント注文情報記憶手段において、注文順序、および注文１件毎のプリント注文情報を注文受付順に記憶する。
【００４３】
そして、メディア、店頭受付機、またはネット配信を介した注文が混在する場合には、前記プリント順序決定手段において、たとえば、メディアによる注文、店頭受付機による注文、およびネット配信を介した注文毎に優先順位を付けて前記注文順序を入れ替えることが可能である。また、注文１件中に、普通サイズとパノラマサイズとのように異なるプリントサイズ設定が含まれている場合には、たとえばサイズの大きなプリントから先に作成するなどのようにプリント順序を入れ替える。
【００４４】
そして、前記書込手段において、新たに入れ替えられた注文順序および注文内プリント順序を、前記プリント袋詰装置の記憶手段に書き込むと同時に、前記注文順序の順にプリント注文情報を書き込む。
【００４５】
したがって、前記プリント作成袋詰システムにおいては、種々のサイズのプリントを作成する場合においても、プリント袋詰め工程でプリント束がばらつくなどの問題が回避できる。
【００４６】
前記注文内プリント順序は、たとえばサイズの大きなプリントを先に、サイズの小さなプリントを後にという順序であってもよく、また、反対に、サイズの小さなプリントを先に、サイズの大きなプリントを後にという順序であってもよい。
【００４７】
請求項８は、前記プリント作成装置が、画像記録材料を一定方向に搬送しつつ、メディアに記録され、または外部結合された端末から取得したデジタル画像データに基づいて前記画像記録材料に画像を形成してプリントを作成する画像形成手段を備えてなるプリント作成袋詰システムに関する。
【００４８】
前記プリント作成袋詰システムにおいては、たとえば静電的または光学的な手段によって潜像を形成し、前記潜像を適宜の手段によって可視化することにより、画像を形成するタイプの画像記録材料が使用できる。
【００４９】
このような画像形成手段としては、印画紙を露光して潜像を形成し、これを現像してカラープリントを作成する自動現像焼付装置、および通常のロール紙に静電画像を形成し、この静電画像にトナーを付着させ、定着させて画像を形成する静電写真画像形成装置などがある。静電写真画像形成装置の具体例としてはレーザプリンタなどが挙げられる。
【００５０】
なお、画像形成手段は、潜像を形成するものには必ずしも限定されない。潜像を形成しない画像形成手段としては、たとえばインクジェットプリンタなどが挙げられる。
【００５１】
請求項９に記載の発明は、前記画像記録材料が印画紙であるプリント作成袋詰システムに関する。
【００５２】
前記プリント作成袋詰システムにおいては、プリント作成手段において銀塩写真プリントを形成しているから、現在のところ、最も美麗で緻密な画質のプリントが得られる。
【００５３】
【発明の実施の形態】
１．実施形態１
本発明に係るプリント作成袋詰システムに包含されるフォトプリンタシステムの一例につき、以下に説明する。
【００５４】
図１に示すように、フォトプリンタシステム１００は、メディアＭを挿入してメディアＭに記録された画像データを読み出すメディアリーダ１と、メディアリーダ１で読み出した画像データに基づき、印画紙に画像を焼き付けて前記画像ごとに枚葉状のプリントＰｒを作成するプリント作成装置２と、プリント作成装置２で作成したプリントＰとメディアリーダ１で内部の画像データを読み込んだメディアＭとを一緒に袋詰するプリント袋詰装置３とを備えている。前記プリント袋詰装置３には、メディアリーダ１で読み出された画像データに基いてプリント作成装置２とプリント袋詰装置３とを制御する制御コンピュータ５が含まれている。メディアリーダ１およびプリント作成装置２は、本発明に係るプリント作成袋詰システムの備えるプリント作成装置に相当し、プリント袋詰装置３は、本発明に係る前記プリント作成袋詰システムの備えるプリント袋詰装置に相当する。そして制御コンピュータ５は、前記プリント袋詰装置の備える記憶手段および制御手段、並びに前記プリント作成装置の備えるプリント注文情報記憶手段、プリント順序決定手段、および書込手段に相当する。また、メディアＭは、前記プリント作成装置において画像データが読み出されるメディアに相当する。
【００５５】
メディアリーダ１は、メディアＭから画像データを読み出す前述の機能のほかに、プリント作成装置２で作成すべきプリントのサイズを指定する機能を有する。
【００５６】
プリント作成装置２は、図１に示すように、印画紙Ｐをロール状に巻回された状態で収納したマガジン７２およびマガジン７４が装着されるマガジン装着部２２Ａおよび２２Ｂと、マガジン７２およびマガジン７４から巻き出され、矢印ａの方向に搬送される印画紙Ｐを露光する露光部２４と、露光部２４で露光された印画紙を現像する現像部２６と、現像部２６で現像された印画紙Ｐを乾燥し、画像毎に裁断する乾燥裁断部２８と、メディアリーダ１で読み取った画像データおよびネットワーク配信された画像データを必要に応じて修正または加工して露光部２４に入力する画像処理装置２０とを有する。
【００５７】
印画紙Ｐは、感光乳剤を塗布した側の感光面が外側になるように巻回されてマガジン７２およびマガジン７４に収容されている。
【００５８】
露光部２４は、画像処理装置２０から入力された画像データに基き、光源部２４Ａから赤色、緑色、および青色の３色のレーザ光を照射して搬送方向ａに対して直交する方向に沿って走査し、印画紙に潜像を形成する。
【００５９】
現像部２６は、露光部２４で露光された印画紙Ｐを現像処理する現像槽２６Ａと、現像槽２６Ａで現像処理された印画紙Ｐを漂白・定着処理する漂白定着槽２６Ｂと、漂白定着槽２６Ｂで漂白・定着処理された印画紙Ｐを水洗処理する水洗槽２６Ｃとを備える。
【００６０】
乾燥裁断部２８は、現像部２６における水洗槽２６Ｃで水洗処理された印画紙Ｐを温風乾燥する乾燥ヒータ２８Ａと、乾燥ヒータ２８Ａで乾燥された印画紙Ｐを画像毎に裁断して枚葉状のプリントとする裁断機２８Ｂとを備えている。
【００６１】
プリント袋詰装置３は、図１〜図５に示すように、空のプリント袋が折畳まれた状態で収納されているプリント袋収納部３２と、プリント袋にプリントＰｒとメディアＭとを挿入する際にプリント袋を吸着して固定するプリント袋固定部３３と、プリント袋をプリント袋収納部３２からプリント袋固定部３３に移送するプリント袋移送部３４と、プリント袋移送部３４で移送中のプリント袋に印字するプリント袋印字部３５と、プリント作成装置２で作成されたプリントＰｒが載置され、集積されるプリント載置台３６と、プリント作成装置２からプリント載置台３６にプリントＰｒを搬送するプリント搬送部３７と、プリント袋固定部３３上でメディアＭとプリントＰｒとが袋詰されたプリント袋を集積するプリント袋集積部３８とを備える。プリント載置台３６およびプリント搬送部３７は、本発明のプリント袋詰装置の備えるプリント集積手段に相当し、プリント袋収納部３２とプリント袋固定部３３とプリント袋移送部３４とプリント袋印字部３５とは前記プリント袋詰装置の備えるプリント袋詰手段に相当する。
【００６２】
プリント袋詰装置３は、さらに、メディアリーダ１で画像データを読み取ったメディアＭを投入するメディア投入口３９Ａと、図５において矢印ｂで示すように、メディア投入口３９Ａに投入されたメディアＭをプリント載置台３６に向かって下方に搬送するメディア搬送コンベア３０と、メディア搬送コンベア３０で下方に搬送されたメディアＭを、プリント載置台３６に載置されたプリントＰｒ上に載置してプリントＰｒとともにプリント袋固定部３３に向かって移送して袋詰するメディア・プリント移送部３１とを備える。メディア投入口３９Ａの直下には、メディアＭが投入されたことを検知するメディア検知センサ３９Ｂが設けられている。メディア検知センサ３９Ｂは光学的センサであっても機械的センサであってもよい。メディア投入口３９Ａ、メディア検知センサ３９Ｂ、およびメディア搬送コンベア３０は、本発明に係るプリント袋詰装置の備えるメディア受入手段に相当し、メディア・プリント移送部３１は、プリント投入手段およびメディア投入手段に相当する。
【００６３】
プリント袋固定部３３においては、図２に示すように、プリント袋が吸着されるプリント袋吸着面３３Ａの全面に、プリント袋を吸引するプリント袋吸引孔３３Ｂが開口している。プリント袋固定部３３には真空ポンプ（図示せず。）が接続され、内部には前記吸引孔３３Ｂと前記真空ポンプとを連通する連通流路（図示せず。）が設けられている。プリント袋固定部３３は、図３〜図５に示すように、プリント載置台３６よりも若干高さが低く、プリント載置台３６との間に段差が形成されている。
【００６４】
プリント袋移送部３４は、プリント袋収納部３２およびプリント袋固定部３３の上方を、プリント袋収納部３２からプリント袋固定部３３に向かって延在するレール３４Ａと、レール３４Ａを走行する走行部３４Ｂと、走行部に対して上下可能に設けられ、下方を向いた１対の吸盤３４Ｄを備える吸着部３４Ｃとからなる。吸着部３４Ｃは、垂直面内において首振り可能に形成されている。
【００６５】
プリント搬送部３７は、図１〜図４に示すように、２対のプリント搬送ローラ３７Ａおよびプリント搬送ローラ３７Ｂと、水平方向に沿って配設された互いに平行なプレート状の部材であり、プリント搬送ローラ３７Ａおよびプリント搬送ローラ３７Ｂで搬送されるプリントをプリント載置台３６上に案内する１対のプリント案内板３７Ｃとを備える。なお、プリント案内板３７Ｃは、プリント作成装置２で作成されたプリントＰｒが２枚のプリント案内板３７Ｃの間に確実に挿入されるように、入口側が上下に開いた形状に形成されている。
【００６６】
メディア搬送コンベア３０は、図２および図５に示すように、メディアＭが載置されるパドル部３０Ａと、パドル部３０Ａを上下方向に駆動するパドル駆動ベルト３０Ｂとを備える。パドル部３０Ａは、パドル駆動ベルト３０Ｂから直角に突出するようにパドル駆動ベルト３０Ｂに固定されている。パドル部３０Ａの中央部には、パドル駆動ベルト３０Ｂに固定された側の端縁近傍から外側に向かって後述する爪３１Ｂが挿入される１対のスリット３０Ｃが設けられている。
【００６７】
メディア・プリント移送部３１は、図６に示すように、プリント載置台３６上を、プリント袋固定部３３に向かう方向およびメディア搬送コンベア３０に向かう方向に滑動する浅い箱状の主プッシャ３１Ａと、主プッシャ３１Ａの滑動方向に沿って主プッシャ３１Ａ内を移動可能に形成された爪３１Ｂと、爪３１Ｂを、主プッシャ３１Ａにおけるメディア搬送コンベア３０に臨む側の端縁に向かって付勢するバネ３１Ｃとを備える。爪３１Ｂは、上端が、主プッシャ３１Ａの上面から上方に突出し、主プッシャ３１Ａに設けられたアクチュエータ（図示せず。）によって、主プッシャ３１Ａの動きとは独立に移動する。
【００６８】
制御コンピュータ５は、図７に示すように、中央制御部５０とメモリ５２とを備える。中央制御部５０は、本発明に係るプリント袋詰装置における制御手段に相当し、メモリ５２は前記プリント袋詰装置における記憶手段に対応する。
【００６９】
中央制御部５０には、画像処理装置２０から、画像データおよびメディアの有無と注文の順序との関係についてのデータが入力される。これらのデータは、メモリ５２に記憶される。
【００７０】
中央制御部５０は、メディア検知センサ３９Ｂからメディアの検知の有無が入力されると、メモリ５２から前記データを読み出してプリント袋詰装置３におけるプリント搬送部３７、メディア搬送コンベア３０、メディア・プリント移送部３１、プリント袋固定部３３、およびプリント袋移送部３４を制御する。中央制御部５０は、また、露光部２４、現像部２６、および乾燥裁断部２８を制御すると同時に、前記各個所における印画紙およびプリントの処理状況が入力される。
【００７１】
フォトプリンタシステム１００の作用について以下に説明する。
【００７２】
プリント作成装置２においては、マガジン７２またはマガジン７４から巻き出された印画紙は、図１に示すように、感光面が外側になるように搬送されて露光部２４に至る。
【００７３】
メディアＭに記録された一連の画像データは、メディアリーダ１で読み取られ、画像処理装置２０を介して露光部２４における光源部２４Ａに入力される。またインターネットなどのネットワークを通じて配信された画像データもまた画像処理装置２０に入力される。画像処理装置２０は画像データが入力される度毎に、前記画像データがメディアリーダ１から受け取った画像データがメディアを読み取ったものか、それともネットワーク配信によって受け取ったものかを判別し、前記画像データが何度目の注文に対応するか、前記注文までにメディアによる注文とネットワークを介した注文とが、それぞれ何回ずつ行われたかというデータを制御コンピュータ５に入力する。
【００７４】
メディアリーダ１において、異なるプリントサイズの設定がされると、前記設定も画像処理部２０に入力される。画像処理部２０では、入力された画像データをプリントサイズの大小の順に並べ替えて光源部２４Ａに入力する。
【００７５】
光源部２４Ａにおいては、入力された画像データに基づいて赤色、緑色、および青色の３色のレーザ光を印画紙Ｐの感光面に照射して潜像を形成する。
【００７６】
露光部２４において潜像が形成された印画紙Ｐは、現像部２６に導入され、現像槽２６Ａ、漂白定着槽２６Ｂ、および水洗槽２６Ｃを順に通過する。現像槽２６Ａ、漂白定着槽２６Ｂ、および水洗槽２６Ｃにおいては、印画紙Ｐは、感光面が内側に位置するように搬送される。印画紙Ｐは、現像槽２６Ａ、漂白定着槽２６Ｂ、および水洗槽２６Ｃを通過することにより、現像処理、漂白・定着処理、および水洗処理が施され、感光面上の潜像が顕像即ちポジ画像に変換される。
【００７７】
現像部２６を通過した印画紙Ｐは、乾燥裁断部２８に導入され、乾燥ヒータ２８Ａにおいて乾燥される。そして裁断機２８Ｂに送られて前記ポジ画像毎に裁断されてメディアＭの画像データに対応する一連のプリントＰｒが作成される。
【００７８】
プリント作成装置２で作成されたプリントＰｒは、裁断機２８Ｂで裁断される度毎にプリント袋詰装置３におけるプリント搬送部３７に１枚づつ挿入され、図２に示すようにプリント載置台３６上に積層される。
【００７９】
前記一連のプリントＰｒがプリント作成装置２からプリント袋詰装置３に移送されている間に、プリント袋詰装置３においては、プリント袋移送部３４が、以下に述べる手順でプリント袋収納部３２に収納されていたプリント袋をプリント袋固定部３３に移送する。
【００８０】
まず、図３に示すように、走行部３４Ｂがレール３４Ａ上をプリント袋収納部３２に向かって移動する。走行部３４Ｂは、プリント袋収納部３２の上方で停止し、吸着部３４Ｃがプリント袋に向かって降下し、最も上に位置するプリント袋を吸盤３４Ｄが吸着する。
【００８１】
吸盤３４Ｄがプリント袋を吸着したら、吸着部３４Ｃは上昇し、走行部３４Ｂがプリント袋固定部３３に向かって移動する。吸盤３４Ｄに吸着されたプリント袋は、印字部３５を通過するときに、印字部３５によって受付番号および金額などの必要事項が印字される。そして、図４に示すように、走行部３４Ｂは、プリント袋固定部３３の上方で停止し、吸着部３４Ｃがプリント袋固定部３３に向かって降下する。
【００８２】
吸着部３４Ｃが降下して吸盤３４Ｄに吸着保持されていたプリント袋の下側の面がプリント袋吸着面３３Ａに接したら、プリント袋吸引孔３３Ｂを減圧する。これにより、前記プリント袋はプリント袋吸着面３３Ａに吸着される。プリント袋がプリント袋吸着面３３Ａに吸着された状態で吸着部３４Ｃを上昇させると、プリント袋が開口する。
【００８３】
次に、メディアリーダ１で画像データを読み取ったメディアＭをメディア投入口３９Ａに投入すると、メディアＭは、メディア搬送コンベア３０のパドル部３０Ａに落下し、メディア検知センサ３９Ｂが、メディア投入口３９ＡにメディアＭが投入されたことを検知する。メディア検知センサ３９Ｂの前記検知内容は、制御コンピュータ５の中央制御部５０に入力される。中央制御部５０は、前記検知内容が入力されると、図８のフローチャートに示す手順に従って前記メディアＭが何番目の注文に対応するかを判断する。
【００８４】
先ず、ステップＳ２でメディアＭが投入されたかどうか判断する。メディア検知センサ３９Ｂが、メディア投入口３９ＡにメディアＭが投入されたことを検知した場合は、前記判断は「Ｙｅｓ」であるから、ステップＳ４に進み、何度目のメディア投入かが判定される。そして、ステップＳ６において、前記メディアＭが投入された時点で、メディアを介した注文とネットワークを介した注文とが何度づつあったかというデータをメモリ５２から読み出す。前記メディアＭが投入された時点で、メディアを介した注文がｍ回あり、ネットワークを介した注文がｎ回あった場合には、ステップＳ８において、メディアＭの投入はｍ回目の投入か否かが判断される。そして、ステップＳ１０において、プリント載置台３６に載置されているプリントＰｒが何番目の注文に関するものであり、プリントＰｒがメディアによるものか否かというデータがメモリ５２から呼び出され、ステップＳ１２においてプリントＰｒがｍ＋ｎ回目の注文によるものかどうかが判断される。プリントＰｒがｍ＋ｎ回目の注文によるものであると判断されたら、ステップＳ１４で前記プリントがメディアから読み取った画像データに基くものか否かが判断される。そして、前記プリントがメディアから読み取った画像データに基くものである場合には、中央制御部５０は、ステップＳ１６でプリントＰｒがメディアＭと対応するものと判断し、ステップＳ１８において以下の手順に従ってプリントＰｒとメディアＭとを袋詰する。
【００８５】
メディアＭをプリント袋に袋詰するときのメディア搬送コンベア３０およびプリントメディア移送部３１の動作を図９および図１０に示す。
【００８６】
最上段に位置するパドル部３０Ａに載置されたメディアＭをプリント載置台３６に向かって下方に搬送するようにメディア搬送コンベア３０を制御する。
【００８７】
パドル部３０Ａがプリント載置台３６の近傍まで降下すると、図９において（Ａ）に示すように、パドル部３０Ａに設けられたスリット３０Ｃに、メディア・プリント移送部３１において待機位置に有る爪３１Ｂが係合する。
【００８８】
図９において（Ａ）に示すように、メディア・プリント移送部３１において、主プッシャ３１Ａおよび爪３１Ｂの何れも待機位置に有るときに、爪３１Ｂが、パドル部３０Ａのスリット３１Ｃに係合して上方に突出する。このとき、爪３１Ｂは、メディアＭとパドル移送ベルト３０Ｂとの間の位置に突出する。
【００８９】
次に、図９において（Ｂ）に示すように、主プッシャ３１Ａは、プリント載置部３６に載置されたプリントＰｒに向かって矢印ｃの方向に移動する。これにより、パドル部３０Ａ上のメディアＭは主プッシャ３１Ａの上面に移動する。そして、主プッシャ３１Ａは、プリント載置部３６上のプリントＰｒに当接したところで一旦停止する。
【００９０】
主プッシャ部３１Ａが停止すると、図９において（Ｃ）に示すように爪３１ＢがプリントＰｒに向かって矢印ｄの方向に移動し、主プッシャ３１Ａ上のメディアＭは、プリントＰｒ上に載置される。
【００９１】
メディアＭがプリントＰｒ上に載置されたら、図９において（Ｄ）に示すように、主プッシャ３１Ａはプリント袋固定部３３に向かって移動し、プリント袋固定部３３とプリント袋移送部３４とによって開口されたプリント袋にメディアＭとプリントＰｒとを押し込む。
【００９２】
プリント袋にメディアＭとプリントＰｒとが押し込まれたら、図９において（Ｅ）に示すように、プリント袋固定部３３における吸着を解除し、主プッシャ３１Ａによって前記プリント袋をプリント袋集積部３８に向かって押し出す。押し出されたプリント袋は、図５に示すようにプリント袋集積部３８に集積される。
【００９３】
プリント袋がプリント袋集積部３８に押し出されたら、図１０において（Ａ）に示すように、パドル駆動ベルト３０Ｂが回転し、パドル部３０Ａが半コマ分進む。パドル部３０Ａが半コマ分進んだら、図１０において（Ｂ）に示すように、主プッシャ３１Ａおよび爪３１Ｂは最初の位置に戻る。同時に、次のメディアＭ＋１から読み出された画像上方に対応する一連のプリントがプリント作成装置２で作成されてプリント載置台３６に載置され、プリント袋固定部３３においては、次のプリント袋が固定され、開口される。そして図１０において（Ｃ）に示すように、パドル駆動ベルト３０Ｂがさらに半コマ分回転し、次のメディアＭ＋１を乗せたパドル部３０Ａがメディア・プリント移送部３１に向かって降下し、次のメディアＭ＋１と一連のプリントＰｒとを袋詰する準備が完了する。
【００９４】
なお、主プッシャ３１Ａおよび爪３１の戻り動作は、図１０に示す動作以外に、パドル部３１Ａを１コマ分進めた後、爪３１Ｂをアクチュエータ（図示せず。）により下方に逃がしてメディア・プリント搬送部３１を待機位置に戻し、再び前記アクチュエータにより詰め３１Ｂを上方に戻すという動作も可能である。
【００９５】
一方、メディア投入口３９ＡにメディアＭを投入しなかった場合（ステップＳ２）、および制御コンピュータ５が、図８に示すフローチャートのステップＳ８、ステップＳ１２、ステップＳ１４でＮｏと判断した場合には、プリントＰｒはメディアＭとは関係ないプリントであるから、メディア搬送コンベア３０の動作は停止され、プリントＰｒのみが袋詰される。
【００９６】
なお、メディアリーダに連続的にメディアＭを挿入してプリントを作成する場合には、画像データを読みこみ終わったメディアＭは投入口３９Ａに次々に投入されるから、図９および図１０に示すように、メディア搬送コンベア３０の全てのパドル部３０ＡにメディアＭが載置される。このような場合には、袋詰されるメディアＭとプリントＰｒとの対応関係が保たれるように、メディア搬送コンベア３０においてはパドル部３０Ａが１段づつ下方に移動するように駆動される。
【００９７】
実施形態１に係るフォトプリンタシステム１００においては、メディアリーダ１でメディアＭの画像データを読み取り、この画像データに基づいてプリントＰｒを作成したときは、前記メディアＭをメディア投入口３９Ａに投入するだけでメディアＭとそれに関連する一連のプリントＰｒとが１つのプリント袋に自動的に袋詰される。一方、前記プリントＰｒがメディアＭの画像データをプリントしたものではない場合には、プリントＰｒのみがプリント袋に袋詰される。
【００９８】
したがって、オペレータが、前記プリントＰｒとメディアＭとを照合する作業が不要になる。
【００９９】
また、メディアリーダ１等において複数のプリントサイズを指定した場合には、プリント作成装置２においては、プリントサイズの大きな順または小さな順にプリントを作成してプリント袋詰装置３に送り出すから、前記プリントは、プリントサイズの大きな順または小さな順に積み重ねられた状態でプリント袋に袋詰される。したがって、プリントを袋詰めする際やプリント袋詰め後にプリント袋内でプリント束がばらつくなどの問題が生じることがない。
【０１００】
２．実施形態２
本発明に係るプリント作成袋詰システムに包含されるフォトプリンタシステムの別の例につき、以下に説明する。
【０１０１】
図１１に示すように、フォトプリンタシステム１０２は、メディアリーダ１とプリント作成装置２と袋詰装置４と制御コンピュータ６とを備えている。メディアリーダ１とプリント作成装置２とは、本発明に係るプリント作成袋詰システムの備えるプリント作成装置に相当し、プリント袋詰装置４は、前記プリント作成袋詰システムの備えるプリント袋詰装置に相当する。そして、制御コンピュータ６は、本発明のプリント袋詰装置の備える記憶手段および制御手段、並びにプリント作成袋詰装置の備えるプリント注文情報記憶手段、プリント順序決定手段、および書込手段に相当する。メディアリーダ１およびプリント作成装置２については、実施形態１において説明した通りである。
【０１０２】
袋詰装置４は、図１１〜図１４に示すように、収納処理回転ドラム４０と、プリント作成装置２で作成されたプリントを集積して収納処理回転ドラム４０に送り出すプリント集積・送り出し部４１と、収納処理回転ドラム４０の内部に挿入されたプリント袋を吸着して開口させるプリント袋吸着部４２と、メディアリーダ１で画像データを読み取ったメディアＭを投入するスリット状のメディア投入口４３Ａを備えるメディア投入部４３と、メディア投入部４３に投入されたメディアＭを検知するメディア検知センサ４３Ｂと、メディア投入部４３に投入されたメディアＭを収納処理回転ドラム４０の上方に向かって搬送するメディア搬送部４４と、メディア搬送部４４で収納処理回転ドラム４０の上方に運ばれたメディアＭを収納処理回転ドラム４０に向かって落下させる開口部であるメディア落下部４５と、収納処理回転ドラム４０に供給されるプリント袋が収納されているプリント袋収納部４６と、収納処理回転ドラム４０でプリントＰｒおよびメディアＭが袋詰されたプリント袋を集積するプリント袋集積部４７とを有する。袋詰装置４は、さらに、プリント袋収納部４６から収納処理回転ドラム４０に供給されるプリント袋に受付番号および金額などの必要事項を印字する印字部４８と、プリント袋集積部４７の上方に位置し、収納処理回転ドラム４０でプリントＰｒおよびメディアＭが袋詰されたプリント袋の口を折畳んで封緘するプリント袋折畳み部４９とを備える。プリント袋折畳み部４９は、図１３に示すように、回転軸４９Ｂと、回転軸４９Ｂに等間隔に設けられた円盤状の３枚の折畳みローラ４９Ａとからなる。収納処理回転ドラム４０、プリント袋吸着部４２、プリント袋収納部４６、プリント袋集積部４７、印字部４８、プリント袋折畳み部４９は、前記プリント袋詰装置におけるプリント袋詰手段に相当し、メディア投入部４３は、本発明に係るプリント袋詰手段におけるメディア受入手段に相当し、メディア搬送部４４およびメディア落下部４５は前記プリント袋詰手段におけるメディア搬送手段に相当し、プリント集積・送り出し部４１は前記プリント袋詰装置におけるプリント集積手段に相当する。
【０１０３】
収納処理回転ドラム４０は、図１１〜図１４に示すように、側面が開放されたドラム状であり、半径方向に沿って等間隔に設けられた８枚の仕切り４０Ａと、仕切り４０Ａを両側から挟むように設けられた１対の側板４０Ｂと、側板４０Ｂの中心を貫通する回転軸４０Ｃとを備え、側板４０Ｂと仕切り４０Ａとによって８個の区分室４０Ｄに区分されている。そして、図１１および図１２において紙面の手前側に位置する側板４０Ｂ（図１１および図１２においては省略。）には、プリント袋収納部４６からプリント袋を挿入するためのスリットが、各区分室４０Ｄ毎に設けられている。また、仕切り４０Ａの外側の端縁には、折畳みローラ４９Ａを逃がすための３つの切込み部が設けられている。
【０１０４】
収納処理回転ドラム４０は、図１１および図１２において矢印ｅで示すように、回転軸４０Ｃの回りに反時計方向に間歇的に回転する。
【０１０５】
プリント袋収納部４６は、図１１〜図１４に示すように、収納処理回転ドラム４０における右下に位置する区分室４０Ｄにプリント袋を供給し、プリント袋を収容するプリント袋収納箱４６Ａと、プリント袋収納箱４６Ａに収容されたプリント袋を収納処理回転ドラム４０に送り出す送り出しローラ４６Ｂとを備える。
プリント袋収納箱４６Ａは、上面と収納処理回転ドラム４０に相対する側の側面とが開放された浅い箱状であり、底面に設けられたバネ４６Ｃによって上方に向かって付勢されている。
【０１０６】
プリント集積・送り出し部４１は、プリント作成装置２側の側縁を中心にして上下に回動するプリント載置板４１Ａと、プリント載置板４１Ａを上下に回動させるアクチュエータ（図示せず。）とを備えている。プリント載置板４１Ａは、プリント作成装置２で作成されたプリントを集積するときは、図１１および図１２において二点鎖線で示すように、左斜め上方に回動した位置にあり、収納処理回転ドラム４０に向かってプリントＰｒを挿入するときは、斜め下方に回動した位置にある。
【０１０７】
メディア投入部４３は、図１３に示すように、袋詰装置４の背面に設けられた縦長のスリット状のメディア投入口４３Ａを有する。メディア検知センサ４３Ｂは、光学式または機械式のセンサである。
【０１０８】
メディア搬送部４４は、メディア投入部４３から投入されたメディアＭをメディア落下部４５に向かって搬送するコンベアであり、メディアＭが下方に落下するのを防止するメディア落下防止板４４Ｃと、メディア落下防止板４４Ｃの上側に沿って、ベルト面がメディア落下防止板４４Ｃに対して略直角になるように配設された駆動ベルト４４Ｂと、駆動ベルト４４Ｂの表面に対して直角に、しかも等間隔に立設されたパドル板４４Ａとを備える。メディア落下部４５は、メディア落下防止板４４Ｃにおけるメディア搬送部４４の終端近傍に設けられた開口部である。
【０１０９】
駆動ベルト４４Ｂを図１３における反時計方向に駆動すると、メディア投入部４３の近傍においては、パドル板４４Ａは、メディア投入部４３からメディア落下部４５に向かう動きをするから、メディア投入部４３に投入されたメディアＭは、前記パドル板４４Ａによってメディア落下防止板４４Ｃ上をメディア落下部４５に向かって搬送される。そして、メディア落下部４５において、収納処理回転ドラム４０上に落下する。
【０１１０】
制御コンピュータ６は、図１５に示すように、中央制御部６０およびメモリ６２を備えている。中央制御部６０は、本発明に係るプリント袋詰装置における制御手段に相当し、メモリ６２は前記プリント袋詰装置における記憶手段に対応する。
【０１１１】
中央制御部６０には、画像処理装置２０から、画像データおよびメディアの有無と注文の順序との関係についてのデータが入力される。これらのデータは、メモリ６２に記憶される。
【０１１２】
中央制御部６０は、メディア検知センサ４３Ｂからメディアの検知の有無が入力されると、メモリ６２から前記データを読み出し、プリント袋詰装置４におけるプリント集積・送り出し部４１、プリント袋吸着部４２、収納処理回転ドラム４０、メディア搬送部４４などを制御する。中央制御部６０は、また、露光部２４、現像部２６、および乾燥・裁断部２８を制御すると同時に、前記各個所における印画紙およびプリントの処理状況が入力される。
【０１１３】
以下、フォトプリンタシステム１０２の作用について説明する。
【０１１４】
メディアリーダ１にメディアＭを挿入すると、メディアＭに記録された一連の画像データは、メディアリーダ１で読み取られ、画像処理装置２０を介して露光部２４における光源部２４Ａに入力される。またインターネットなどのネットワークを通じて配信された画像データもまた画像処理装置２０に入力される。画像処理装置２０は画像データが入力される度毎に、前記画像データがメディアリーダ１から受け取った画像データがメディアを読み取ったものか、それともネットワーク配信によって受け取ったものかを判別し、前記画像データが何度目の注文に対応するか、前記注文までにメディアによる注文とネットワークを介した注文とが、それぞれ何回ずつ行われたかというデータを制御コンピュータ６に入力する。
【０１１５】
そして、このようにして入力された画像データに対応する一連のプリントがプリント作成装置２で作成される。なお、メディアリーダ１において異なる大きさのプリントサイズを指定した場合には、前記画像データをプリントサイズの大きな順または小さな順に並べ替え、プリントサイズの順にプリントＰｒが作成されるようにする。
【０１１６】
プリント作成装置２で作成されたプリントＰｒは、袋詰装置４に送り出され、プリント集積・送り出し部４１におけるプリント集積板４１Ａ上に集積される。
【０１１７】
一連のプリントＰｒが作成され、プリント集積板４１Ａ上に集積されている間に、図１３および図１４に示すように、収納処理回転ドラム４０における右下に位置する区分室４０Ｄにプリント袋収納部４６からプリント袋が挿入される。
【０１１８】
前記区分室４０Ｄにプリント袋が挿入されたら、収納処理回転ドラム４０は反時計方向に４５°回転して停止し、前記プリント袋が挿入された区分室４０Ｄは右方を向く。このとき、前記区分室４０Ｄ内においては、プリント袋はプリント袋吸着部４２によって上方から吸着されて開口する。
【０１１９】
プリント袋が開口したら、収納処理回転ドラム４０は、反時計方向にさらに４５°回転して前記区分室４０Ｄが右上方を向いた位置で停止する。次いでプリント集積板４１Ａが左斜め下方に回動し、プリント集積板４１Ａ上に集積されていたプリントＰｒが前記プリント袋に挿入される。
【０１２０】
前記区分室４０Ｄにおいてプリント袋にプリントＰｒが挿入されると、収納処理回転ドラム４０が反時計方向にさらに４５°回転して前記区分室４０Ｄはメディア落下部４５の直下で停止する。
【０１２１】
ここで、メディア投入部４３にメディアＭが投入されると、メディア検知センサ４３Ｂによってメディアが投入されたことが検知されて制御コンピュータ６に入力される。制御コンピュータ６においては、実施形態１のところで説明したように、図８のフローチャートに示す手順に従って前記メディアＭが何番目の注文に対応するかを判断すると同時に、プリントＰｒが前記メディアＭに対応するか否かを判断する。
【０１２２】
制御コンピュータでメディアＭとプリントＰｒとが互いに対応すると判断されたら、投入されたメディアＭは、メディア搬送部４４によってメディア落下部４５に向かって搬送され、メディア落下部４５から前記区分室４０Ｄに向かって落下するから、前記区分室４０Ｄの内部において開口された状態で保持されているプリント袋内に落下する。
【０１２３】
このようにしてプリント袋にメディアＭが挿入されたら、収納処理回転ドラム４０は反時計方向にさらに４５°回転し、前記区分室４０Ｄは左方を向く。これにより、前記プリント袋は、プリント袋折畳み部４９の備える折畳みローラ４９Ａによって口の部分が折畳まれ、封緘される。
【０１２４】
前記プリント袋が封緘されたら、収納処理回転ドラム４０は反時計方向にさらに４５°回転し、前記区分室４０Ｄは左下方を向くから、内部のプリント袋は、仕切り板４０Ａ上をプリント袋集積部４７に向かって滑り落ちる。これによって、プリントＰｒとメディアＭとが挿入されたプリント袋が集積される。
【０１２５】
一方、メディア投入部４３にメディアＭが投入されなかったとき（図８のステップＳ２）、および制御コンピュータ６が、図８に示すフローチャートのステップＳ８、ステップＳ１２、ステップＳ１４でＮｏと判断した場合には、プリントＰｒはメディアＭとは関係ないプリントであるから、メディア搬送部４４の動作は停止され、プリントＰｒのみが袋詰される。
【０１２６】
実施形態２に係るフォトプリンタシステム１０２においては、収納処理回転ドラム４０が反時計方向に３／４回転する間に、プリント袋の挿入、開口、プリントＰｒの挿入、メディアＭの挿入、プリント袋の封緘、およびプリント袋集積部４７へのプリント袋の排出という一連の操作が行われる。
【０１２７】
したがって、フォトプリンタシステム１０２は、実施形態１に係るフォトプリンタシステム１００の有する特長に加え、機構をさらに簡略化でき、しかもコンパクトに構成できるという特長を有する。
【０１２８】
【発明の効果】
以上説明したように、本発明によれば、前記メディアとプリントとが合っているかどうかを照合する作業が不要なプリント作成袋詰システムが提供される。
【図面の簡単な説明】
【図１】図１は、実施形態１に係るフォトプリンタシステムの構成の概略を示す正面図である。
【図２】図２は、実施形態１に係るフォトプリンタシステムが備える袋詰装置の構成を示す拡大平面図である。
【図３】図３は、図２に示す袋詰装置の拡大正面図である。
【図４】図４は、図２に示す袋詰装置において、プリント袋にプリントとメディアとを収納したところを示す拡大正面図である。
【図５】図５は、図２に示す袋詰装置の拡大左側面図である。
【図６】図６は、メディア・プリント移送部とその周辺の構成を示す拡大図である。
【図７】図７は、実施形態１に係るフォトプリンタシステムにおける制御コンピュータ５の構成を示すブロック図である。
【図８】図８は、実施形態１に係るフォトプリンタシステムにおいて、メディアとプリントとをプリント袋に袋詰する手順を示すフローチャートである。
【図９】図９は、メディアをプリント袋に袋詰するときのメディア搬送コンベアおよびプリントメディア搬送部の動作を示す動作図である。
【図１０】図１０は、メディアをプリント袋に袋詰した後のメディア搬送コンベアおよびプリントメディア搬送部の動作を示す動作図である。
【図１１】図１１は、実施形態２に係るフォトプリンタシステムの構成の概略を示す正面図である。
【図１２】図１２は、実施形態２に係るフォトプリンタシステムが備える袋詰装置の構成を示す拡大正面図である。
【図１３】図１３は、図１２に示す袋詰装置の上方から見た構成を示す拡大平面図である。
【図１４】図１４は、図１１に示す袋詰装置を図９における左側から見た構成を示す拡大側面図である。
【図１５】図１５は、図１２に示すフォトプリンタシステムが備える制御コンピュータ６の構成を示すブロック図である。
【符号の説明】
１      メディアリーダ
２      プリント作成装置
３      袋詰装置
４      袋詰装置
５      制御コンピュータ
６      制御コンピュータ
２４      露光部
２６      現像部
２８      乾燥裁断部
３０      メディア搬送コンベア
３１      メディア・プリント移送部
３２      プリント袋収納部
３３      プリント袋固定部
３４      プリント袋移送部
３６      プリント載置部
３８      プリント袋集積部
４０      収納処理回転ドラム
４１      プリント集積・送り出し部
４２      プリント袋吸着部
４３      メディア投入部
４４      メディア搬送部
４５      メディア落下部
４６      プリント袋収納部
４７      プリント袋集積部
【図１】
2004347868.tif 000003
【図２】
2004347868.tif 000004
【図３】
2004347868.tif 000005
【図４】
2004347868.tif 000006
【図５】
2004347868.tif 000007
【図６】
2004347868.tif 000008
【図７】
2004347868.tif 000009
【図８】
2004347868.tif 000010
【図９】
2004347868.tif 000011
【図１０】
2004347868.tif 000012
【図１１】
2004347868.tif 000013
【図１２】
2004347868.tif 000014
【図１３】
2004347868.tif 000015
【図１４】
2004347868.tif 000016
【図１５】
2004347868.tif 000017